(57)【特許請求の範囲】
【請求項１】
外壁と外壁とを１８０°未満の角度に接合し、この接合部を接着剤で接着してなるコーナー外壁において、接合部に沿い両外壁に跨がって突出側外壁面に粘着テープが貼着され、粘着テープの接合部を挟んだ両端縁と外壁面との段差を充填材により埋められ、その上から塗装されていることを特徴とするコーナー外壁。
【請求項２】
外壁と外壁とを１８０°未満の角度に接合し、この接合部を接着剤で接着してなるコーナー外壁の塗装方法において、接合部に沿い両外壁に跨がって突出側外壁面に粘着テープが貼着され、粘着テープの接合部を挟んだ両端縁と外壁面との段差部に弾性塗料またはシーリング材を塗布することを特徴とするコーナー外壁の塗装方法。
【請求項３】
前記粘着テープの外面及び接合部を挟んだ両端縁と外壁面との段差部に弾性塗料またはシーリング材を塗布することを特徴とする請求項２記載のコーナー外壁の塗装方法。
【発明の詳細な説明】
【０００１】
【発明が属する技術分野】
本発明は、コーナー外壁及びその塗装方法に関する。
【０００２】
【従来の技術】
従来のコーナー外壁は、例えば、特公平２−５０３号公報と特公平７−１１９５１４号公報に記載されている。
上記特公平２−５０３号公報記載のものは、コーナー外壁を形成する方法であって、板材の裏面よりＶ字溝を切削形成し、このＶ字溝の内面に接着剤を塗布して、Ｖ字溝により分割された板材をＶ字溝内面を介して接着するものである。
また、上記特公平７−１１９５１４号公報記載のコーナー外壁は、外壁と外壁とを１８０°未満の角度に接合し、この接合部を接着剤で接着し、この接合部周辺の突出外面を削り、接合部の中の接着剤を突出外面まで露出させるものである。
上記コーナー外壁を建物のコーナー部に取り付けることによって、外壁の膨張、収縮の力がコーナー外壁の接合部に集中的に働き、接合部にクラックが発生するという問題を解決しようとするものである。
【０００３】
【発明が解決しようとする課題】
しかしながら、上記従来のコーナー外壁において、接合部の接着強度が不足したり、接着剤が経時により劣化すると、外壁の膨張、収縮により接合部に割れが発生して接合部の接合強度が低下するという問題を解消するに至らなかった。
【０００４】
本発明は、上記の問題を解決するためになされたものであって、本発明の目的は、接合部の接合強度を向上せしめ、接合部の割れ発生を少なくし、かつ意匠性に優れたコーナー外壁を提供することである。
【０００５】
【課題を解決するための手段】
請求項１記載の本発明は、外壁と外壁とを１８０°未満の角度に接合し、この接合部を接着剤で接着してなるコーナー外壁において、接合部に沿い両外壁に跨がって突出側外壁面に粘着テープが貼着され、粘着テープの接合部を挟んだ両端縁と外壁面との段差を充填材により埋められ、その上から塗装されていることを特徴とする。
【０００６】
上記請求項１記載の発明において、接合部の接着剤の好適な例は、耐熱性、耐水性を備えたものであって、塗布時には液状であって、経時で反応して硬化するものがよい。具体的には、アクリル系接着剤、エポキシ系接着剤、ウレタン系接着剤、変成シリコン系接着剤等を挙げることができる。特に、変成シリコン系接着剤のように反応硬化した後も弾性を備えた弾性接着剤がよい。
【０００７】
また、上記請求項１記載の発明において、粘着テープが弾性を有するものがよい。粘着テープが弾性を有するものとは、例えば、ポリエチレンやポリウレタン等の合成樹脂発泡シートの如き弾性を有する基材に粘着剤を塗布したもの、或いは、適度に架橋されたアクリル系発泡粘着剤をシート状に形成したもの等を挙げることができる。
【０００８】
また、上記請求項１記載の発明において、充填材が弾性を有するものがよい。充填材が弾性を有するものとしては、例えば、ポリウレタン、ポリサルファイド、シリコーン等弾性を有するシーリング材、或いは、アクリルゴム、ポリウレタン、クロロプレンゴム等からなる弾性を有する塗料等を挙げることができる。
【０００９】
また、上記請求項１記載の発明において、塗装に使用する塗料の好適な例は、不透水性を備えたものであって、塗布した塗料が不透水性の塗膜を形成するものである。このような塗料としては、合成樹脂を有機溶剤に溶解させた合成樹脂溶液を主成分とした塗料や、合成樹脂を水の中に分散させた合成樹脂エマルジョンを主成分とした塗料のいずれでもよい。具体的には、アクリル系樹脂やアクリル−スチレン系樹脂を主成分とした塗料やウレタン系樹脂を主成分とした塗料を挙げることができる。
【００１０】
請求項２記載の本発明は、外壁と外壁とを１８０°未満の角度に接合し、この接合部を接着剤で接着してなるコーナー外壁の塗装方法において、接合部に沿い両外壁に跨がって突出側外壁面に粘着テープが貼着され、粘着テープの接合部を挟んだ両端縁と外壁面との段差部に弾性塗料またはシーリング材を塗布することを特徴とする。
【００１１】
請求項３記載の本発明は、請求項２記載のコーナー外壁の塗装方法において、前記粘着テープの外面及び接合部を挟んだ両端縁と外壁面との段差部に弾性塗料またはシーリング材を塗布することを特徴とする。
【００１２】
請求項２または３記載の弾性塗料またはシーリング材としては、上記弾性を有する塗料あるいは弾性を有するシーリング材等が好適に用いられる。
【００１３】
（作用）
請求項１記載のコーナー外壁は、接合部に沿い両外壁に跨がって突出側外壁面に粘着テープが貼着され、粘着テープの接合部を挟んだ両端縁と外壁面との段差を充填材により埋められ、その上から塗装されているから、接合部が粘着テープにより補強され接合強度が向上する。そのため、接着剤層の層間ズレや接着剤層内の破断（クラック）が生じ難くなり、例えクラックが生じても粘着テープ層で絶縁され塗膜層に及ばない。そして粘着テープの接合部を挟んだ両端縁と外壁面との段差を充填材により埋められているから塗装後粘着テープの段差が見えず意匠性に優れる。また、粘着の端部からの剥がれを発生し難くなる。
【００１４】
請求項２及び３記載のコーナー外壁の塗装方法は、前記粘着テープの接合部を挟んだ両端縁と外壁面との段差部、または外面及び接合部を挟んだ両端縁と外壁面との段差部に弾性塗料またはシーリング材を塗布するので、その後外壁全面に塗装を施した際、粘着テープの段差が見えない意匠性に優れたコーナー外壁を得ることができる。また、粘着の端部からの剥がれを発生し難くなる。
【００１５】
【発明の実施の形態】
本発明の実施の形態を図面を参照して説明する。
（実施例１）
図１〜図３は、本発明の一実施例であって、図１（イ）図はコーナー外壁の斜視図、（ロ）図は（イ）図の要部拡大断面図、図２はコーナー外壁のテープ貼り及び塗装工程の説明図、図３はコーナー外壁のクラックが発生した場合の対策断面説明図である。図に基づいてコーナー外壁及びその塗装方法について説明する。
【００１６】
図１において、１はコーナー外壁であって、このコーナー外壁１は、建物の外壁コーナー部に取り付けて使用されるものである。
上記コーナー外壁１は、長尺の木片セメント板でなる外壁２と外壁２とが９０°の角度Ｋになるように長辺同士を突き合わせ接合して本体を形成したものである。その突き合わせ接合部２１では塗布時には液状で、反応硬化後に耐水性を備えたウレタン系接着剤３で外壁２と外壁２とを接着した。この突き合わせ接合部２１に塗布された接着剤３が、圧締状態にすることで流出せしめられ、接着材厚さが一定になされている。
【００１７】
また、上記コーナー外壁１は、突き合わせ接合部２１に沿い両外壁２、２に跨がる屋内側面に、接着剤３が盛られ、この盛られた接着剤３で屋内側接合部３１が形成されている。
なお、この屋内側接合部３１を形成する接着剤３は、突き合わせ接合部２１を圧締状態とすることにより屋内側に流出せしめられたものを利用しているが、別な接着剤、例えば、エポキシ系、変成シリコン系接着剤でもよい。
さらにまた、上記コーナー外壁１は、屋外側の頂点を削って両側に段付きの角部が形成され、この角部の表面に接着剤３が塗布され、円弧形状の屋外側接合部３２が形成されている。
【００１８】
この屋外側接合部３２を形成する接着剤３は、前記突き合わせ接合部２１の接着剤と同じものであってもよいし、別なものであってもよい。すなわち、突き合わせ接合部２１、屋内側接合部３１、屋外側接合部３２のそれぞれの接着剤が、すべて同じの場合、いずれか二つが同じ場合、いずれも異なる場合、のいずれでもよい。これらの接着剤により、外壁２と外壁２との接合をより強固にしている。
【００１９】
４は塗装層付き弾性テープであり、ウレタン系の不織布を基材として上面側にアクリル系の塗料が予め塗布され、下面側にアクリル系粘着材が塗布された粘着テープである。この塗装層付き弾性テープ４は離型紙を挟んでロール状の巻物になされ、使用する時はテープ貼り治具（不図示）を用いるか、手で巻き戻しながら図２（イ）の様に、コーナー外壁の接合部に長手方向に沿って貼り付けられる。中塗付き弾性テープ４端部はコーナー外壁１の両端部で図２（ロ）の様に屋内側面にまで至るように折り込まれる。
【００２０】
５はアクリル系の段差埋弾性塗料であり、塗装層付き弾性テープ４とコーナー外壁との間にできた段差を埋める為の充填材である。段差埋め量はエアレスガン（不図示）で直径０．７ｍｍのガン先で塗布するか、毛丈２５ｍｍの中毛ローラーＲを使用して段差部のみに塗布する。その後、毛丈１４ｍｍの短毛ローラーＲまたは上記毛丈２５ｍｍの中毛ローラーＲを使用して段差部のならしを行い表面を均一にする。
そして塗装ラインに搬送され、コーナー外壁１の全面に下塗り６２と上塗り６１塗料を塗布して塗膜６が形成され、仕上げられる。
本発明のコーナー外壁１は上記の構成及び塗装方法により、塗装層付き弾性テープ４の段差が見えず、意匠性に優れたものである。また、段差埋塗料５により塗装層付き弾性テープ４の剥がれを防止する効果も得られる。
【００２１】
コーナー外壁１はコーナー角度Ｋが９０°±１°の範囲内で接合されているが、角度が−１°変形し、外壁２と外壁２とのなす角度が８９°になると、頂点部の開き幅が０．３ｍｍとなり、従来のコーナー外壁では図６の様に塗膜面６にクラック７が発生し、外観品質の低下となり、耐久性の低下となる。
本発明のコーナー外壁１においては、図３の様に、頂点部の開き幅が０．５ｍｍ迄は、塗装層付き弾性テープ４によりクラック部７と塗膜面６とを絶縁し、塗膜面６にクラックの発生を防止し、外観品質を保持し、耐久性に優れたコーナー外壁１が得られる。尚各塗装層付き弾性テープ４から上に伸び率が小さくなるようになされており、３層間の伸び率の差は緩和されている。
【００２２】
（実施例２）
図４、図５は本発明の別の実施例であって、図４はコーナー外壁の要部拡大断面図、図５はコーナー外壁のテープ貼り及び塗装工程の説明図である。図に基づいてコーナー外壁及びその塗装方法について説明する。
【００２３】
図４において１Ａはコーナー外壁であり、実施例１と塗装層付き弾性テープ４を貼り付ける工程（図５（イ）参照）までは同様である。その後図５（ロ）の様に段差埋め塗料を塗布する。ここでは塗料タンクＴからポンプＰにより塗装ガンＧに圧送し、塗装ガンＧにてエアレス方式で塗料をカーテン状に押し出すことで均等な塗料厚みと幅とで塗装可能となされている。尚ガンチップはクリアランス０．１ｍｍ、幅は塗布幅に応じた長さになされている。このようにして、塗装層付き弾性テープ４全面とテープの接合部を挟んだ両端縁に実施例１と同様のアクリル系段差埋め塗料を塗布して塗膜５Ａを形成する。さらにその上にコーナー外壁１Ａ全体に上塗り６１及び下塗り６２塗料からなる塗膜６を形成してコーナー外壁１Ａが得られる。
【００２４】
本実施例２は実施例１と比較して、段差埋め塗料を中塗付き弾性テープ４全面とテープの接合部を挟んだ両端縁に塗布して塗膜５Ａとなしている点が異なる。本実施例においても塗装層付き弾性テープ４の段差が見えず、意匠性に優れたものである。また塗装層付き弾性テープ４の剥がれを防止し、塗膜６のクラックの発生を防止し、外観品質を保持し、耐久性に優れたコーナー外壁１Ａが得られる。尚各塗装層付き弾性テープ４から上に伸び率が小さくなるようになされており、３層間の伸び率の差は緩和されている。
【００２５】
また、本実施例２は段差埋め塗料を上記塗装方式で行うので、コーナー外壁の頂点部のみにマスキングなしで規定量の塗料を塗布でき、作業性に優れる。
【００２６】
【発明の効果】
請求項１記載のコーナー外壁は、接合部に沿い両外壁に跨がって突出側外壁面に粘着テープが貼着され、粘着テープの接合部を挟んだ両端縁と外壁面との段差を充填材により埋められ、その上から塗装されているから、接合部が粘着テープにより補強され接合強度が向上する。そのため、接着剤層の層間ズレや接着剤層内の破断（クラック）が生じ難くなり、例えクラックが生じても粘着テープ層で絶縁され塗膜層に及ばない。そして粘着テープの接合部を挟んだ両端縁と外壁面との段差を充填材により埋められているから塗装後粘着テープの段差が見えず意匠性及び耐久性に優れる。また、粘着の端部からの剥がれを発生し難くなる。
【００２７】
請求項２及び３記載のコーナー外壁の塗装方法は、前記粘着テープの長手方向の両端面と外壁面との段差部、または外面及び接合部を挟んだ両端縁と外壁面との段差部に弾性塗料またはシーリング材を塗布するので、その後外壁全面に塗装を施した際、粘着テープの段差が見えない意匠性及び耐久性に優れたコーナー外壁を得ることができる。また、粘着の端部からの剥がれを発生し難くなる。
【図面の簡単な説明】
【図１】本発明の一実施例であって、（イ）図はコーナー外壁の斜視図、（ロ）図は（イ）図の要部拡大断面図である。
【図２】コーナー外壁のテープ貼り及び塗装工程の説明図である。
【図３】コーナー外壁のクラックが発生した場合の対策断面説明図である。
【図４】コーナー外壁の要部拡大断面図である。
【図５】コーナー外壁のテープ貼り及び塗装工程の説明図である。
【図６】従来のコーナー外壁のクラック発生を示す断面図である。
【符号の説明】
１，１Ａ，１Ｃ      コーナー外壁
２                  外壁
２１                突き合わせ接合部
３                  接着剤
３１                屋内側接合部
３２                屋外側接合部
４                  塗装層付き弾性テープ
５，５Ａ            段差埋め塗料
６                  塗膜
６１                上塗り
６２                下塗り
７                  クラック
Ｋ                  角度
Ｒ                  ローラー
Ｔ                  塗料タンク
Ｐ                  ポンプ
Ｇ                  塗装ガン
【図１】
0004087965.tif 000002
【図２】
0004087965.tif 000003
【図３】
0004087965.tif 000004
【図４】
0004087965.tif 000005
【図５】
0004087965.tif 000006
【図６】
0004087965.tif 000007